(57)【特許請求の範囲】
【請求項１】
情報処理システムの構成要素が必要とする電力の情報を保持する構成情報保持部と、
情報処理システムの構成要素として本管理装置に新たに登録すべき構成要素を新規構成要素と呼ぶとき、新規構成要素に関する情報を取得する情報取得部と、
前記情報取得部によって取得された情報から、新規構成要素が必要とする電力の情報と、新規構成要素に電力を供給する複数の構成要素に関する情報と、新規構成要素が必要とする電力を新規構成要素に電力を供給する複数の構成要素の間でいかに振り分けるかについての情報と、を抽出する情報抽出部と、
新規構成要素に電力を供給する複数の構成要素のそれぞれを演算対象の構成要素と呼ぶとき、前記情報抽出部によって抽出された情報に基づいて、演算対象の構成要素が必要とする電力を演算する電力演算部と、
前記構成情報保持部によって保持される演算対象の構成要素が必要とする電力の情報を前記電力演算部における演算結果に基づいて更新する情報更新部と、を備えることを特徴とする管理装置。
【請求項２】
前記電力演算部は、新規構成要素が必要とする電力のうち演算対象の構成要素に振り分けられる電力と演算対象の構成要素が他の構成要素に供給する電力とを合計することによって、演算対象の構成要素が必要とする電力を演算することを特徴とする請求項１に記載の管理装置。
【請求項３】
前記電力演算部は、演算対象の構成要素が必要とする電力に演算対象の構成要素の消費電力を含めることを特徴とする請求項１または２に記載の管理装置。
【請求項４】
前記電力演算部は、演算対象の構成要素に電力を供給する複数の構成要素のそれぞれが必要とする電力を演算し、
前記情報更新部は、前記構成情報保持部によって保持される情報であって演算対象の構成要素に電力を供給する複数の構成要素のそれぞれが必要とする電力の情報を、前記電力演算部における演算結果に基づいて更新することを特徴とする請求項１から３のいずれかに記載の管理装置。
【請求項５】
情報処理システムの構成要素が必要とする電力の情報を構成情報保持部に保持させるステップと、
情報処理システムの構成要素として新たに登録すべき構成要素を新規構成要素と呼ぶとき、新規構成要素に関する情報を取得するステップと、
取得された情報から、新規構成要素が必要とする電力の情報と、新規構成要素に電力を供給する複数の構成要素に関する情報と、新規構成要素が必要とする電力を新規構成要素に電力を供給する複数の構成要素の間でいかに振り分けるかについての情報と、を抽出するステップと、
新規構成要素に電力を供給する複数の構成要素のそれぞれを演算対象の構成要素と呼ぶとき、抽出された情報に基づいて、演算対象の構成要素が必要とする電力を演算するステップと、
前記構成情報保持部によって保持される演算対象の構成要素が必要とする電力の情報を演算結果に基づいて更新するステップと、を含むことを特徴とする管理方法。
【請求項６】
情報処理システムの構成要素が必要とする電力の情報を構成情報保持部に保持させる機能と、
情報処理システムの構成要素として新たに登録すべき構成要素を新規構成要素と呼ぶとき、新規構成要素に関する情報を取得する機能と、
取得された情報から、新規構成要素が必要とする電力の情報と、新規構成要素に電力を供給する複数の構成要素に関する情報と、新規構成要素が必要とする電力を新規構成要素に電力を供給する複数の構成要素の間でいかに振り分けるかについての情報と、を抽出する機能と、
新規構成要素に電力を供給する複数の構成要素のそれぞれを演算対象の構成要素と呼ぶとき、抽出された情報に基づいて、演算対象の構成要素が必要とする電力を演算する機能と、
前記構成情報保持部によって保持される演算対象の構成要素が必要とする電力の情報を演算結果に基づいて更新する機能と、をコンピュータに実現させることを特徴とするコンピュータプログラム。
【請求項７】
情報処理システムの構成要素が必要とするリソースの情報を保持する構成情報保持部と、
新規構成要素に関する情報を取得する情報取得部と、
前記情報取得部によって取得された情報から、新規構成要素が必要とするリソースの情報と、新規構成要素にリソースを供給する複数の構成要素に関する情報と、新規構成要素が必要とするリソースを新規構成要素にリソースを供給する複数の構成要素の間でいかに振り分けるかについての情報と、を抽出する情報抽出部と、
新規構成要素にリソースを供給する複数の構成要素のそれぞれを演算対象の構成要素と呼ぶとき、前記情報抽出部によって抽出された情報に基づいて、演算対象の構成要素が必要とするリソースを演算するリソース演算部と、
前記構成情報保持部によって保持される演算対象の構成要素が必要とするリソースの情報を前記リソース演算部における演算結果に基づいて更新する情報更新部と、を備えることを特徴とする管理装置。
【発明の詳細な説明】
【技術分野】
【０００１】
本発明は、管理装置および管理方法に関し、特に情報処理システムを管理する管理装置および管理方法に関する。
【背景技術】
【０００２】
データセンタなど情報処理システムの構成は、提供するサービスの複雑化や大規模化に伴い年々複雑になってきており、またその構成要素の数も膨大となってきている。また、サーバ、ストレージ、ネットワーク機器等の構成要素について、近年の技術革新に伴ってそれらの性能の向上のスピードが増したこともあり、そのような構成要素の追加や更新なども頻繁に行われている。
【０００３】
このような状況において、情報処理システムをミスなく効率的に運営すべき管理者への負担が増大している。そこで例えば特許文献１には、ネットワーク内で階層構造を持ちデータ転送を行うシステムで、階層の下位装置から順次上位装置に装置情報を伝送する事によりデータ転送の経路決定を自動的に行う構成情報の伝達方法が開示されている。また特許文献２には、自動的に構築された階層構造を利用し、全てのサーバが管理サーバと通信を行うのではなく、最上位代表サーバだけが管理サーバと管理対象サーバの管理情報を集約して通信を行う方式が提案されている。これらの手法により幾分管理者の管理負担が軽減されうる。
【先行技術文献】
【特許文献】
【０００４】
【特許文献１】特開平１１−４１２８３号公報
【特許文献２】特開２００９−１７１４７６号公報
【発明の概要】
【発明が解決しようとする課題】
【０００５】
しかしながら、特許文献１や特許文献２で提案される手法では基本的に、管理対象の情報処理システムの構成要素間に、ひとつの下位階層に対してひとつの上位階層しか定義されないいわゆる木構造の関係があることが前提とされている。このような手法では、それ以外の関係で構成要素間が結びつけられている情報処理システムを管理することは困難である。
【０００６】
本発明はこうした課題に鑑みてなされたものであり、その目的は、より多くの種類の情報処理システムを管理できる管理技術の提供にある。
【課題を解決するための手段】
【０００７】
本発明のある態様は管理装置に関する。この管理装置は、情報処理システムの構成要素が必要とする電力の情報を保持する構成情報保持部と、情報処理システムの構成要素として本管理装置に新たに登録すべき構成要素を新規構成要素と呼ぶとき、新規構成要素に関する情報を取得する情報取得部と、情報取得部によって取得された情報から、新規構成要素が必要とする電力の情報と、新規構成要素に電力を供給する複数の構成要素に関する情報と、新規構成要素が必要とする電力を新規構成要素に電力を供給する複数の構成要素の間でいかに振り分けるかについての情報と、を抽出する情報抽出部と、新規構成要素に電力を供給する複数の構成要素のそれぞれを演算対象の構成要素と呼ぶとき、情報抽出部によって抽出された情報に基づいて、演算対象の構成要素が必要とする電力を演算する電力演算部と、構成情報保持部によって保持される演算対象の構成要素が必要とする電力の情報を電力演算部における演算結果に基づいて更新する情報更新部と、を備える。
【０００８】
この態様によると、新規構成要素に関する情報の取得に際して、演算対象の構成要素が必要とする電力を演算し、その演算結果を構成情報保持部に反映させることができる。
【０００９】
本発明のさらに別の態様は、管理装置である。この装置は、情報処理システムの構成要素が必要とするリソースの情報を保持する構成情報保持部と、新規構成要素に関する情報を取得する情報取得部と、情報取得部によって取得された情報から、新規構成要素が必要とするリソースの情報と、新規構成要素にリソースを供給する複数の構成要素に関する情報と、新規構成要素が必要とするリソースを新規構成要素にリソースを供給する複数の構成要素の間でいかに振り分けるかについての情報と、を抽出する情報抽出部と、新規構成要素にリソースを供給する複数の構成要素のそれぞれを演算対象の構成要素と呼ぶとき、情報抽出部によって抽出された情報に基づいて、演算対象の構成要素が必要とするリソースを演算するリソース演算部と、構成情報保持部によって保持される演算対象の構成要素が必要とするリソースの情報をリソース演算部における演算結果に基づいて更新する情報更新部と、を備える。
【００１０】
なお、以上の構成要素の任意の組み合わせや、本発明の構成要素や表現を装置、方法、システム、プログラム、プログラムを格納した記録媒体などの間で相互に置換したものもまた、本発明の態様として有効である。
【発明の効果】
【００１１】
本発明によれば、より多くの種類の情報処理システムを管理できる。
【図面の簡単な説明】
【００１２】
【図１】本実施の形態に係る管理装置の管理対象であるデータセンタの構成を示す模式図である。
【図２】本実施の形態に係る管理装置の機能および構成を示すブロック図である。
【図３】図２の階層情報保持部の一例を示すデータ構造図である。
【図４】図２の構成情報保持部の一例を示すデータ構造図である。
【図５】図２の関連情報保持部の一例を示すデータ構造図である。
【図６】第１参照画面の代表画面図である。
【図７】第２参照画面の代表画面図である。
【図８】第３参照画面の代表画面図である。
【図９】新規登録画面の代表画面図である。
【図１０】関連登録画面の代表画面図である。
【図１１】図２の管理装置における一連の処理を示すフローチャートである。
【発明を実施するための形態】
【００１３】
以下、本発明を好適な実施の形態をもとに図面を参照しながら説明する。各図面に示される同一または同等の要素、部材、処理には、同一の符号を付するものとし、適宜重複した説明は省略する。
【００１４】
図１は、実施の形態に係る管理装置の管理対象であるデータセンタ２の構成を示す模式図である。データセンタ２は、サーバやストレージやネットワーク機器やコンセントや分電盤などの構成要素からなる情報処理システムである。データセンタ２は、第１分電盤４、第２分電盤６、第１コンセント８、第２コンセント１０、第１サーバ１２、第１ストレージ１４、第２サーバ１６、第２ストレージ２１、第３サーバ２２、ネットワーク１８、を備える。
【００１５】
第１分電盤４、第２分電盤６はそれぞれ外部の送電線２０と電気的に接続され、送電線２０から電力の供給を受ける。第１コンセント８は第１分電盤４および第２分電盤６の両方と接続され、それらから電力の供給を受ける。第１コンセント８が必要とする電力（以下、構成要素が必要とする電力をその構成要素の必要電力と称す）は、第１コンセント８に接続される構成要素の必要電力と第１コンセント８自体の消費電力との合計である。この第１コンセント８の必要電力は、所定の振り分け規則にしたがって第１分電盤４と第２分電盤６とに振り分けられている。言い換えると、第１分電盤４が第１コンセント８に供給する電力の値は、第１コンセント８の必要電力の値に第１分電盤４に対して設定された振り分け比率を乗じた電力の値である。第２分電盤６が第１コンセント８に供給する電力の値は、第１コンセント８の必要電力の値に第２分電盤６に対して設定された振り分け比率を乗じた電力の値である。
第２コンセント１０は第１コンセント８と同様の構成を有する。
振り分け規則は、振り分け比率として定義されてもよいし、振り分ける分の電力の絶対値として定義されてもよい。コンセントの差し込み口ごとにそこに電力を供給する分電盤が分かれている場合は、振り分け規則として絶対値が使用されてもよい。
【００１６】
第１サーバ１２、第１ストレージ１４それぞれのプラグは第１コンセント８の対応する差し込み口に差し込まれ、第１サーバ１２、第１ストレージ１４はいずれも第１コンセント８から電力の供給を受ける。第１サーバ１２、第１ストレージ１４はいずれもイントラネットなどのネットワーク１８に接続される。ネットワーク１８はインターネットなどの外部ネットワーク（不図示）と接続される。
第２ストレージ２１、第３サーバ２２については、接続先が第２コンセント１０である点を除いては第１ストレージ１４、第１サーバ１２と同様である。
【００１７】
第２サーバ１６は２つのプラグを有し、一方のプラグは第１コンセント８の対応する差し込み口に差し込まれ、他方のプラグは第２コンセント１０の対応する差し込み口に差し込まれる。第２サーバ１６の各プラグについて消費電力が設定されており、第２サーバ１６の消費電力は２つのプラグに設定されている２つの消費電力の合計である。例えば、第１コンセント８に接続される方のプラグに設定されている消費電力は５０（Ｗ）、第２コンセント１０に接続される方のプラグに設定されている消費電力は１５０（Ｗ）、第２サーバ１６の消費電力は５０（Ｗ）＋１５０（Ｗ）＝２００（Ｗ）である。第２サーバ１６はネットワーク１８に接続される。
【００１８】
第２サーバ１６については、第１コンセント８に対して設定された振り分け比率が０．２５であり第２コンセント１０に対して設定された振り分け比率が０．７５であると見ることもできるし、第１コンセント８、第２コンセント１０それぞれに対して電力の絶対値が振り分けられていると見ることもできる。
【００１９】
このようにデータセンタ２には、データセンタ２において電力供給の元となる分電盤から、供給された電力が最終的に使用されるサーバやストレージに至るまでの電力供給網が形成されている。以下、データセンタ２において電力供給の元により近い側を電力供給網の上流、そうでない側を下流と定義する。
【００２０】
本実施の形態に係る管理装置はデータセンタ２についての管理情報を保持し、必要に応じてユーザに提示する。管理情報は、データセンタ２の各構成要素のスペック、特性や構成要素間の相関関係を記述した情報などの、データセンタ２の構成要素を管理するための情報である。管理装置は特に構成要素間の電力のやりとりに関する情報を管理する。
【００２１】
管理装置では、構成要素の種類ごとに階層が設定される。ある階層とそのひとつ上の階層との間には、ネットワーク状の電力の供給関係が設定される。すなわち、ある階層に属するひとつの構成要素に、ひとつ上の階層に属する複数の構成要素から電力を供給することが許され、またひとつ上の階層に属するひとつの構成要素から、ある階層に属する複数の構成要素に電力を供給することが許される。これにより、構成要素間の電力の供給関係がネットワーク状となっている情報処理システムであっても、その情報処理システムを電力的な側面から管理できる。
【００２２】
さらに、新たな構成要素がデータセンタ２の構成要素として管理装置に登録されると、管理装置は新たな構成要素の追加によって電力的に影響を受けうる既存の構成要素についても、その構成要素が必要とする電力を演算し、その演算結果を登録する。これにより、新たな構成要素の追加によって電力的に影響を受けうる既存の構成要素についての必要電力の更新作業は、管理者自らが配線図等をたどって計算して更新するような場合と比べて、より速く正確に行われる。
【００２３】
図１に示されるデータセンタ２の構成は本実施の形態を説明するための単純化した例であるが、現在、多くの情報処理システムの構成は上記の通り複雑になってきており、また構成要素の数も膨大となってきている。そのような情報処理システムの電力供給網もまた複雑、大規模化している。したがって、管理者が自ら人手で管理情報の更新作業の全てを行うのでは時間がかかりすぎ、またミスも発生しやすい。そこで本実施の形態に係る管理装置によると、そのような更新作業のうち既存の構成要素への影響に関する部分を管理装置が受け持つことにより、更新作業全体をより速く正確に行うことができる。
【００２４】
本実施の形態に係る管理装置はネットワーク１８または外部ネットワークに接続された管理サーバとしてデータセンタ２の内部または外部に設けられてもよい。あるいはまた、第１サーバ１２や第２サーバ１６や第３サーバ２２が管理装置の役割を果たしてもよい。
【００２５】
図２は、本実施の形態に係る管理装置１００の機能および構成を示すブロック図である。ここに示す各ブロックは、ハードウエア的には、コンピュータのＣＰＵ（central processing unit）をはじめとする素子や機械装置で実現でき、ソフトウエア的にはプログラム等によって実現されるが、ここでは、それらの連携によって実現される機能ブロックを描いている。したがって、これらの機能ブロックはハードウエア、ソフトウエアの組合せによっていろいろなかたちで実現できることは、本明細書に触れた当業者には理解されるところである。
【００２６】
管理装置１００はキーボード、マウスなどの入力装置１０２と接続され、またディスプレイなどの表示装置１０４と接続される。また管理装置１００はネットワーク１８と接続される。
管理装置１００は、登録インタフェース部１１０、電力演算部１１２、安全性判定部１１４、警告通知部１１６、参照部１１８、階層情報保持部１２０、情報更新部１２２、構成情報保持部１２４、関連情報保持部１２６、を備える。
【００２７】
図３は、階層情報保持部１２０の一例を示すデータ構造図である。階層情報保持部１２０は、管理上、データセンタ２の構成要素に対して設定される階層に関する情報を保持する。階層は、構成要素における電力の取り扱われ方の観点から分類された構成要素の種類ごとに設定される。特に本実施の形態では、階層として、分電盤やラックなどの電力供給網の最上流に位置する供給階層と、コンセントなどの電力を仲介する仲介階層と、サーバやストレージなどの電力を消費する消費階層と、が設定される。
【００２８】
階層情報保持部１２０は、階層を特定する階層ＩＤと、その階層の階層名と、その階層の親となる階層を特定する親階層ＩＤと、を対応付けて保持する。階層情報保持部１２０に保持される情報は、予め管理者によって登録される。
【００２９】
図４は、構成情報保持部１２４の一例を示すデータ構造図である。構成情報保持部１２４は、データセンタ２の構成要素についての情報を保持する。構成情報保持部１２４は、構成要素を特定する構成要素ＩＤと、その構成要素の名と、その構成要素が属する階層を特定する階層ＩＤと、その構成要素が電力を供給できる構成要素である場合は供給できる電力の最大値（以下、最大供給電力と称す）と、その構成要素の必要電力と、その構成要素が電力を消費する場合はその消費電力と、を対応付けて保持する。図４において構成要素名のフィールド内の括弧内の符号は、対応する構成要素の符号である。
【００３０】
構成要素の必要電力は、構成要素がサーバやストレージなどの電力を消費する機器の場合はその消費電力を含む。また、コンセントなどの２次電源は、分電盤から電力の供給を受けると共にサーバやストレージや他のコンセントに電力を供給する。また２次電源自身も少量であるかもしれないが電力を消費しうる。したがって、構成要素が２次電源である場合の必要電力は、その２次電源が供給すべき電力に２次電源自身の消費電力を合算した値である。
【００３１】
図５は、関連情報保持部１２６の一例を示すデータ構造図である。関連情報保持部１２６は、データセンタ２における構成要素間の電力の供給関係についての情報を保持する。関連情報保持部１２６は、構成要素ＩＤと、その構成要素ＩＤが特定する構成要素に電力を供給する構成要素（以下、ある構成要素に電力を供給する構成要素をある構成要素の電力供給元要素と称す）を特定する電力供給元ＩＤと、その電力供給元ＩＤが特定する電力供給元要素に対して設定された振り分け比率と、を対応付けて保持する。電力供給元ＩＤと振り分け比率との組は必要に応じてひとつの構成要素に対して複数保持される。
【００３２】
例えば図５に示される関連情報保持部１２６の構成要素ＩＤ「１００３」に着目すると、それに対応する第１電力供給元ＩＤは「１００１」でありその振り分け比率は「０．５」である。また、構成要素ＩＤ「１００３」に対応する第２電力供給元ＩＤは「１００２」でありその振り分け比率は「０．５」である。したがって、データセンタ２においては、構成要素ＩＤ「１００３」が特定する構成要素「コンセント１」の必要電力である３２０（Ｗ）は（必要電力の値は図４に示される値を使用した）、第１電力供給元要素「分電盤１」に３２０（Ｗ）×０．５＝１６０（Ｗ）だけ振り分けられ、第２電力供給元要素「分電盤２」に３２０（Ｗ）×０．５＝１６０（Ｗ）だけ振り分けられている。言い換えると、第１電力供給元要素「分電盤１」は構成要素「コンセント１」に１６０（Ｗ）供給し、第２電力供給元要素「分電盤２」は構成要素「コンセント１」に１６０（Ｗ）供給し、構成要素「コンセント１」はそのようにして供給される電力によって自身の必要電力３２０（Ｗ）を賄っている。
なお、構成情報保持部１２４、関連情報保持部１２６に保持される情報は、データセンタ２についての管理情報を構成する。
【００３３】
図２に戻る。
ユーザ、この場合はデータセンタ２の管理者は、データセンタ２の構成要素として管理装置１００に新たに登録すべき構成要素（以下、新規構成要素と称す）が発生すると、入力装置１０２またはネットワーク１８を介して登録インタフェース部１１０に新規構成要素に関する情報を入力する。入力される情報は、新規構成要素の必要電力に関する必要電力情報と、新規構成要素の電力供給元要素に関する電力供給元情報と、新規構成要素の必要電力を電力供給元要素の間でいかに振り分けるかについての振り分け情報と、を含む。
【００３４】
必要電力情報は、新規構成要素の消費電力を示す消費電力情報であってもよく、または新規構成要素によって電力が供給される構成要素（以下、ある構成要素によって電力が供給される構成要素をある構成要素の電力供給先要素と称す）に供給すべき電力の合計を導くための供給電力情報であってもよく、あるいはその両方の情報を含む情報であってもよい。
電力供給元情報は、電力供給元要素が複数ある場合はそのそれぞれを特定する情報、例えば電力供給元要素の名または電力供給元ＩＤもしくはその両方を含む。電力供給元要素は基本的には既存の構成要素である。
振り分け情報は電力供給元要素が複数ある場合に設定され、電力供給元要素のそれぞれに対して設定される振り分け比率を含む。
なお、登録インタフェース部１１０は新規構成要素に関する情報を株式会社野村総合研究所が提供するＳＯＣ（Senju Operation Conductor（Senjuは登録商標））などの構成情報取得ツールを使用して自動的に取得してもよい。
【００３５】
登録インタフェース部１１０は、入力された情報を取得する情報取得部と、情報取得部によって取得された情報から、必要電力情報と、電力供給元情報と、振り分け情報と、を抽出する情報抽出部と、を含む。情報取得部は構成情報取得部１２８と関連情報取得部１３６とを有する。情報抽出部は構成情報抽出部１３０と関連情報抽出部１３８とを有する。登録インタフェース部１１０はさらに親階層抽出部１３２と選択可要素抽出部１３４とを含む。
【００３６】
構成情報取得部１２８は、新規構成要素自身の特性を示す構成情報を取得する。構成情報は、新規構成要素を特定する新規構成要素名などの特定情報と、新規構成要素が属する階層を特定する階層名などの階層情報と、消費電力情報と、新規構成要素の最大供給電力を示す最大電力情報と、を含む。特に構成情報取得部１２８は、管理者から入力装置１０２を介して登録要求を受け付けると、図９で後述する新規登録画面３００を表示装置１０４に表示させる。構成情報取得部１２８は、新規登録画面３００に対して管理者が入力装置１０２を介して入力した構成情報を取得する。
【００３７】
構成情報抽出部１３０は、構成情報取得部１２８によって取得された構成情報から、特定情報と階層情報と消費電力情報と最大電力情報とを抽出する。
【００３８】
親階層抽出部１３２は、構成情報抽出部１３０によって抽出された階層情報が特定する階層の親となる階層を特定する親階層ＩＤを、階層情報保持部１２０から抽出する。特に階層情報は階層名または階層ＩＤであるから、親階層抽出部１３２はその階層名または階層ＩＤに対応する親階層ＩＤを階層情報保持部１２０から抽出する。
【００３９】
選択可要素抽出部１３４は、構成情報保持部１２４に構成要素ＩＤが登録されている構成要素のうち、親階層抽出部１３２によって抽出された親階層ＩＤが特定する階層に属する構成要素を選択可な構成要素とする。選択可要素抽出部１３４は、親階層抽出部１３２によって抽出された親階層ＩＤに対応する構成要素ＩＤを選択可構成要素ＩＤとして構成情報保持部１２４から抽出する。
【００４０】
関連情報取得部１３６は、新規構成要素と他の既存の構成要素との電力のやりとりに関する関連情報を取得する。関連情報は、電力供給元情報と、振り分け情報と、供給電力情報と、を含む。供給電力情報は、新規構成要素の電力供給先要素を特定する電力供給先情報を含む。
特に関連情報取得部１３６は、構成情報取得部１２８が構成情報を取得した後、図１０で後述する関連登録画面４００を表示装置１０４に表示させる。その際、関連情報取得部１３６は、選択可要素抽出部１３４によって選択可とされた構成要素のなかから電力供給元要素を選択させる。関連情報取得部１３６は、関連登録画面４００に対して管理者が入力装置１０２を介して入力した関連情報を取得する。
【００４１】
関連情報抽出部１３８は、関連情報取得部１３６によって取得された関連情報から、電力供給元情報と振り分け情報と電力供給先情報とを抽出する。
【００４２】
例えば、図１に示されるデータセンタ２についての最新の変更が第２サーバ１６の追加である場合（以下、第２サーバ１６追加の場合と称する）を考える。管理者は、データセンタ２への第２サーバ１６の追加が完了すると、新規登録画面３００から、新規構成要素である第２サーバ１６の名「サーバ２」と第２サーバ１６の階層の名「消費階層」と第２サーバ１６の消費電力の値「２００（Ｗ）」とを入力する。
構成情報取得部１２８はそのように入力された情報を取得し、構成情報抽出部１３０は特定情報として構成要素名「サーバ２」を、階層情報として階層名「消費階層」を、消費電力情報として値「２００（Ｗ）」を、最大電力情報として最大供給電力が存在しないことを示す「Ｎ／Ａ」を、抽出する。
【００４３】
管理者は関連登録画面４００から、第２サーバ１６の電力供給元要素である第１コンセント８の名「コンセント１」と、第１コンセント８に対して設定されるべき振り分け比率「０．２５」と、を入力する。同じく管理者は関連登録画面４００から、第２サーバ１６のもうひとつの電力供給元要素である第２コンセント１０の名「コンセント２」と、第２コンセント１０に対して設定されるべき振り分け比率「０．７５」と、を入力する。
関連情報取得部１３６はそのように入力された情報を取得し、関連情報抽出部１３８は電力供給元情報として第１電力供給元要素名「コンセント１」および第２電力供給元要素名「コンセント２」を、振り分け情報として第１振り分け比率「０．２５」および第２振り分け比率「０．７５」を、電力供給先情報として電力供給先要素が存在しないことを示す「Ｎ／Ａ」を、抽出する。
【００４４】
情報更新部１２２は、関連情報抽出部１３８によって抽出された電力供給先情報が少なくともひとつの電力供給先要素を特定する場合、その電力供給先情報に基づいて関連情報保持部１２６を更新する。すなわち情報更新部１２２は、関連情報保持部１２６にアクセスし、電力供給先要素を特定する構成要素ＩＤについて、電力供給元ＩＤを振り分け比率を維持したまま新規構成要素に対して新たに付与された構成要素ＩＤで置き換える。
【００４５】
新規構成要素について電力演算部１１２は、構成情報抽出部１３０によって抽出された消費電力情報および関連情報抽出部１３８によって抽出された電力供給先情報に基づいて、新規構成要素の必要電力を演算する。特に電力演算部１１２は、電力供給先情報が特定する電力供給先要素の必要電力の値を構成情報保持部１２４から抽出し、その電力供給先要素から新規構成要素に対して設定された振り分け比率を関連情報保持部１２６から抽出する。電力演算部１１２は抽出された必要電力の値に抽出された振り分け比率を乗算し、電力供給先要素から新規構成要素に振り分けられる電力の値を得る。電力演算部１１２は、電力供給先要素が複数ある場合はそのそれぞれについて新規構成要素に振り分けられる電力の値を同様にして得る。電力演算部１１２は新規構成要素に振り分けられる電力の値を複数の電力供給先要素に亘って合計し、その合計値に消費電力情報が示す消費電力の値を合算することによって、新規構成要素の必要電力の値を得る。
【００４６】
第２サーバ１６追加の場合、電力演算部１１２は新規構成要素である第２サーバ１６の必要電力の値として第２サーバ１６の消費電力の値である「２００（Ｗ）」を得る。
【００４７】
例えばデータセンタ２に自身の消費電力が「５（Ｗ）」のコンセントを追加し、その追加コンセントに既存の第２ストレージ２１および第３サーバ２２をつなぎ替える場合を考える。この場合、管理者は関連登録画面４００の供給先要素名入力領域４０６に、追加コンセントの差し込み口にプラグが差し込まれる第２ストレージ２１および第３サーバ２２の名を入力する。
【００４８】
電力演算部１１２は第２ストレージ２１の必要電力の値「１５０（Ｗ）」に振り分け比率「１」を乗算した値と第３サーバ２２の必要電力の値「１００（Ｗ）」に振り分け比率「１」を乗算した値とを合計し、合計値「２５０（Ｗ）」を得る。電力演算部１１２は新規構成要素である追加コンセントの必要電力の値として、合計値「２５０（Ｗ）」に追加コンセント自体の消費電力の値「５（Ｗ）」を合算した値「２５５（Ｗ）」を得る。
なお、このコンセントの追加によって第２コンセント１０の必要電力も変更されるが、その変更は例えば第２コンセント１０を新規構成要素として変更後の接続状態で再登録することによって管理装置１００に反映されてもよい。
【００４９】
情報更新部１２２は、構成情報抽出部１３０によって抽出された情報および関連情報抽出部１３８によって抽出された情報に基づいて、構成情報保持部１２４および関連情報保持部１２６を更新する。情報更新部１２２は、新規構成要素に対して新たな構成要素ＩＤを付与し、その構成要素ＩＤと、特定情報に含まれる新規構成要素名と、階層情報に含まれる階層名に対応する階層ＩＤと、最大電力情報が示す最大供給電力と、新規構成要素について電力演算部１１２によって演算された必要電力と、消費電力情報が示す消費電力と、を対応付けて構成情報保持部１２４に登録する。また情報更新部１２２は、新規構成要素の構成要素ＩＤと、新規構成要素の電力供給元要素を特定する電力供給元ＩＤと、その電力供給元要素に対して設定された振り分け比率と、を対応付けて関連情報保持部１２６に登録する。
【００５０】
第２サーバ１６追加の場合、情報更新部１２２は、第２サーバ１６に対して新たな構成要素ＩＤ「１００７」を付与し、構成要素ＩＤ「１００７」と構成要素名「サーバ２」と階層ＩＤ「Ｌ３」と最大供給電力「Ｎ／Ａ」と必要電力「２００（Ｗ）」と消費電力「２００（Ｗ）」とを対応付けて構成情報保持部１２４に新たに登録する。また情報更新部１２２は、構成要素ＩＤ「１００７」と、第１電力供給元ＩＤ「１００３」と、それに対する振り分け比率「０．２５」と、第２電力供給元ＩＤ「１００４」と、それに対する振り分け比率「０．７５」と、を対応付けて関連情報保持部１２６に新たに登録する。
【００５１】
電力演算部１１２は、情報更新部１２２によって新規構成要素に関して構成情報保持部１２４および関連情報保持部１２６が更新されると、そのように更新された構成情報保持部１２４および関連情報保持部１２６に保持される情報に基づいて、電力供給元要素などの新規構成要素から見て上流の構成要素の必要電力を演算する。
電力演算部１１２は、演算対象選択部１４０、電力供給先抽出部１４２、供給電力合計部１４４、自己消費電力合算部１４６、を含む。
【００５２】
演算対象選択部１４０は、関連情報抽出部１３８によって抽出された電力供給元情報が特定する電力供給元要素のそれぞれに電力を供給する構成要素があれば、その構成要素の構成要素ＩＤを関連情報保持部１２６から抽出する。すなわち、演算対象選択部１４０は、関連情報抽出部１３８によって抽出された電力供給元情報が特定する電力供給元要素のＩＤを関連情報保持部１２６における構成要素ＩＤとしたときに、それに対応する新たな電力供給元ＩＤがあればそれを抽出する。演算対象選択部１４０は、抽出された新たな電力供給元ＩＤが特定する構成要素に電力を供給する構成要素がなくなるまで上記の抽出処理を繰り返す。
【００５３】
すなわち、演算対象選択部１４０は関連情報抽出部１３８によって抽出された電力供給元情報が特定する電力供給元要素よりも電力供給網においてより上流の構成要素を、最上流の構成要素に到達するまで検索し、その検索で見つかった構成要素を特定する構成要素ＩＤを抽出する。
【００５４】
第２サーバ１６追加の場合、関連情報抽出部１３８によって抽出された電力供給元情報が特定する電力供給元要素は第１コンセント８、第２コンセント１０である。演算対象選択部１４０は、第１コンセント８のＩＤ「１００３」を関連情報保持部１２６における構成要素ＩＤとしたときに、それに対応する新たな電力供給元ＩＤ「１００１」、「１００２」が存在するのでそれらを抽出する。第２コンセント１０についても同様に新たな電力供給元ＩＤ「１００１」、「１００２」が抽出される。演算対象選択部１４０は、ＩＤ「１００１」、「１００２」が特定する第１分電盤４、第２分電盤６に電力を供給する構成要素はいずれも登録されていないので、抽出処理を終了する。
【００５５】
演算対象選択部１４０は、関連情報抽出部１３８によって抽出された電力供給元情報が特定する電力供給元要素のＩＤおよび演算対象選択部１４０によって上記のように抽出された新たな電力供給元ＩＤのなかからひとつのＩＤを演算対象ＩＤとして選択する。この際、演算対象選択部１４０は、演算対象ＩＤを電力供給網の下流側から順番に選択する。以下、演算対象選択部１４０によって選択された演算対象ＩＤが特定する構成要素を、演算対象構成要素と称す。
【００５６】
電力供給先抽出部１４２は、演算対象構成要素の電力供給先要素を特定する演算対象電力供給先ＩＤを関連情報保持部１２６から抽出する。特に電力供給先抽出部１４２は、関連情報保持部１２６を参照し、電力供給元ＩＤが演算対象ＩＤと一致する構成要素ＩＤを演算対象電力供給先ＩＤとして抽出し、同時に対応する振り分け比率も抽出する。
【００５７】
供給電力合計部１４４は、演算対象構成要素の電力供給先要素の必要電力のうち演算対象構成要素に振り分けられる電力を合計する。すなわち供給電力合計部１４４は、演算対象構成要素が供給すべき電力を演算する。
演算対象選択部１４０において関連情報抽出部１３８によって抽出された電力供給元情報が特定する電力供給元要素のＩＤが演算対象ＩＤとして選択され、かつ、演算対象構成要素が複数の電力供給先要素を有する場合、その複数の電力供給先要素は新規構成要素と他の構成要素とを含む。したがって、供給電力合計部１４４は、新規構成要素の必要電力のうち演算対象構成要素に振り分けられる電力と演算対象構成要素が他の構成要素に供給する電力とを合計することとなる。
【００５８】
特に供給電力合計部１４４は、演算対象電力供給先ＩＤに対応する必要電力の値を構成情報保持部１２４から抽出する。供給電力合計部１４４は、その演算対象電力供給先ＩＤに対応して電力供給先抽出部１４２によって抽出された振り分け比率を抽出された必要電力の値に乗算し、演算対象構成要素に振り分けられる電力の値を得る。供給電力合計部１４４は、演算対象電力供給先ＩＤが複数ある場合はそのそれぞれについて演算対象構成要素に振り分けられる電力の値を同様にして得る。供給電力合計部１４４は、演算対象構成要素に振り分けられる電力の値を複数の演算対象電力供給先ＩＤに亘って合計する。
【００５９】
自己消費電力合算部１４６は、演算対象構成要素の消費電力の値を構成情報保持部１２４から抽出する。自己消費電力合算部１４６は、供給電力合計部１４４によって得られる合計値に抽出された消費電力の値を合算することによって、演算対象構成要素の必要電力の値を得る。
【００６０】
情報更新部１２２は、構成情報保持部１２４によって保持される演算対象構成要素の必要電力の情報を電力演算部１１２における演算結果に基づいて更新する。情報更新部１２２は、構成情報保持部１２４にアクセスし、演算対象構成要素の必要電力の値を自己消費電力合算部１４６によって得られた必要電力の値で書き換える。
【００６１】
電力演算部１１２および情報更新部１２２は、関連情報抽出部１３８によって抽出された電力供給元情報が特定する電力供給元要素のＩＤおよび演算対象選択部１４０によって抽出された新たな電力供給元ＩＤの全てについて必要電力の演算および更新が行われるまで上記の処理を繰り返す。
【００６２】
第２サーバ１６追加の場合、まず演算対象選択部１４０は、関連情報抽出部１３８によって抽出された電力供給元情報が特定する電力供給元要素である第１コンセント８、第２コンセント１０の電力供給元ＩＤ「１００３」、「１００４」および演算対象選択部１４０によって抽出された新たな電力供給元ＩＤ「１００１」、「１００２」のうち、電力供給網のより下流側にある第１コンセント８を特定する電力供給元ＩＤ「１００３」を演算対象ＩＤとして選択する。
【００６３】
電力供給先抽出部１４２は、演算対象構成要素である第１コンセント８に対して、第１演算対象電力供給先ＩＤ「１００５」および第１振り分け比率「１」の組と、第２演算対象電力供給先ＩＤ「１００６」および第２振り分け比率「１」の組と、第３演算対象電力供給先ＩＤ「１００７」および第３振り分け比率「０．２５」の組と、を関連情報保持部１２６から抽出する。
【００６４】
供給電力合計部１４４は、第１演算対象電力供給先ＩＤ「１００５」が特定する第１サーバ１２の必要電力の値「１００（Ｗ）」に第１振り分け比率「１」を乗算した値「１００（Ｗ）」と、第２演算対象電力供給先ＩＤ「１００６」が特定する第１ストレージ１４の必要電力の値「１５０（Ｗ）」に第２振り分け比率「１」を乗算した値「１５０（Ｗ）」と、第３演算対象電力供給先ＩＤ「１００７」が特定する第２サーバ１６の必要電力の値「２００（Ｗ）」に第３振り分け比率「０．２５」を乗算した値「５０（Ｗ）」と、を合計し、合計値「３００（Ｗ）」を得る。
【００６５】
自己消費電力合算部１４６は、合計値「３００（Ｗ）」に第１コンセント８の消費電力の値「２０（Ｗ）」を合算し、第１コンセント８の必要電力の値「３２０（Ｗ）」を得る。
情報更新部１２２は、構成情報保持部１２４に保持される第１コンセント８の必要電力の値を「３２０（Ｗ）」に書き換える。
【００６６】
次に演算対象選択部１４０は、第２コンセント１０を特定する電力供給元ＩＤ「１００４」を演算対象ＩＤとして選択する。供給電力合計部１４４は、第２ストレージ２１の必要電力の値「１５０（Ｗ）」に振り分け比率「１」を乗算した値「１５０（Ｗ）」と、第３サーバ２２の必要電力の値「１００（Ｗ）」に振り分け比率「１」を乗算した値「１００（Ｗ）」と、第２サーバ１６の必要電力の値「２００（Ｗ）」に振り分け比率「０．７５」を乗算した値「１５０（Ｗ）」と、を合計し、合計値「４００（Ｗ）」を得る。
自己消費電力合算部１４６は、合計値「４００（Ｗ）」に第２コンセント１０の消費電力の値「２０（Ｗ）」を合算し、第２コンセント１０の必要電力の値「４２０（Ｗ）」を得る。
情報更新部１２２は、構成情報保持部１２４に保持される第２コンセント１０の必要電力の値を「４２０（Ｗ）」に書き換える。
【００６７】
次に演算対象選択部１４０は、第１分電盤４を特定する電力供給元ＩＤ「１００１」を演算対象ＩＤとして選択する。供給電力合計部１４４は、第１コンセント８の必要電力の値「３２０（Ｗ）」に振り分け比率「０．５」を乗算した値「１６０（Ｗ）」と、第２コンセント１０の必要電力の値「４２０（Ｗ）」に振り分け比率「０．５」を乗算した値「２１０（Ｗ）」と、を合計し、合計値「３７０（Ｗ）」を得る。
自己消費電力合算部１４６は、合計値「３７０（Ｗ）」に第１分電盤４の消費電力の値「０（Ｗ）」を合算し、第１分電盤４の必要電力の値「３７０（Ｗ）」を得る。
情報更新部１２２は、構成情報保持部１２４に保持される第１分電盤４の必要電力の値を「３７０（Ｗ）」に書き換える。
第２分電盤６についても同様にして必要電力の値「３７０（Ｗ）」が得られ、構成情報保持部１２４に保持される第２分電盤６の必要電力の値も「３７０（Ｗ）」に書き換え螺れる。
【００６８】
安全性判定部１１４は、情報更新部１２２によって上記のように更新された構成情報保持部１２４を参照し、必要電力が最大供給電力を超える構成要素が存在する場合、その構成要素の構成要素ＩＤおよび構成要素名を警告通知部１１６に渡す。
警告通知部１１６は、渡された構成要素ＩＤおよび構成要素名を含む警告情報を生成し管理者に通知する。警告通知部１１６は警告情報を表示装置１０４に表示させてもよいし、ネットワーク１８を介して送信してもよい。
【００６９】
参照部１１８は、管理者から入力装置１０２やネットワーク１８を介して管理情報の参照要求を取得すると、構成情報保持部１２４および関連情報保持部１２６に保持される情報を管理者に通知する。参照部１１８は、参照要求があるとまず第１参照画面５００を表示装置１０４に表示させる。
【００７０】
図６は、第１参照画面５００の代表画面図である。第１参照画面５００は、供給階層表示領域５０２、仲介階層表示領域５０４、消費階層表示領域５０６、第１供給関係表示領域５０８、第２供給関係表示領域５１０、を有する。供給階層表示領域５０２、仲介階層表示領域５０４、消費階層表示領域５０６にはそれぞれ供給階層、仲介階層、消費階層に属する構成要素が表示される。第１供給関係表示領域５０８には供給階層表示領域５０２に表示される構成要素と仲介階層表示領域５０４に表示される構成要素との間の電力供給関係を表す直線が表示される。第２供給関係表示領域５１０には仲介階層表示領域５０４に表示される構成要素と消費階層表示領域５０６に表示される構成要素との間の電力供給関係を表す直線が表示される。
【００７１】
管理者は、第２サーバ１６について電力の伝搬の様子を確認したい場合、第１参照画面５００において「サーバ２」を囲む領域をクリックする。すると参照部１１８は第２参照画面５１２を表示装置１０４に表示させる。
【００７２】
図７は、第２参照画面５１２の代表画面図である。第２参照画面５１２は、消費電力表示領域５１４、第１伝搬電力表示領域５１６、第２伝搬電力表示領域５１８、を有する。消費電力表示領域５１４にはクリックで指定された第２サーバ１６の消費電力の値が表示される。第１伝搬電力表示領域５１６、第２伝搬電力表示領域５１８にはそれぞれ、第２サーバ１６から第１コンセント８、第２コンセント１０に振り分けられる電力の値が伝搬電力として表示される。
【００７３】
管理者は、さらに第１コンセント８について電力の伝搬の様子を確認したい場合、第２参照画面５１２において「コンセント１」を囲む領域をクリックする。すると参照部１１８は第３参照画面５２０を表示装置１０４に表示させる。
【００７４】
図８は、第３参照画面５２０の代表画面図である。第３参照画面５２０は、他用途電力表示領域５２２、第３伝搬電力表示領域５２４、第４伝搬電力表示領域５２６、を有する。他用途電力表示領域５２２には第１コンセント８が第２サーバ１６以外の構成要素に供給する電力と第１コンセント８自身の消費電力とを合計した値が他用途電力として表示される。第３伝搬電力表示領域５２４、第４伝搬電力表示領域５２６にはそれぞれ、第１コンセント８から第１分電盤４、第２分電盤６に振り分けられる電力の値が伝搬電力として表示される。
【００７５】
図９は、新規登録画面３００の代表画面図である。新規登録画面３００は、新規構成要素名入力領域３０２、階層入力領域３０４、消費電力入力領域３０６、最大供給電力入力領域３０８、ＯＫボタン３１０、を有する。新規構成要素名入力領域３０２には新規構成要素の名が入力される。階層入力領域３０４には新規構成要素が属する階層の名がプルダウン形式などの選択形式で入力される。階層入力領域３０４には階層の名の代わりに階層ＩＤが入力されてもよい。消費電力入力領域３０６には新規構成要素の消費電力の値が入力される。最大供給電力入力領域３０８には新規構成要素の最大供給電力の値が入力される。
【００７６】
管理者によって必要な情報が入力されＯＫボタン３１０が押し下げられると、構成情報取得部１２８は、新規構成要素名入力領域３０２に入力された情報を特定情報として、階層入力領域３０４に入力された情報を階層情報として、消費電力入力領域３０６に入力された情報を消費電力情報として、最大供給電力入力領域３０８に入力された情報を最大電力情報として、取得する。
【００７７】
図１０は、関連登録画面４００の代表画面図である。関連登録画面４００は、供給元要素名入力領域４０２、振り分け比率入力領域４０４、供給先要素名入力領域４０６、ＯＫボタン４０８、を有する。供給元要素名入力領域４０２には電力供給元要素の名がプルダウン形式などの選択形式で入力される。関連情報取得部１３６は、この選択形式における選択肢を選択可要素抽出部１３４によって選択可とされた構成要素に限定する。振り分け比率入力領域４０４には対応する電力供給元要素に対して設定すべき振り分け比率が入力される。供給先要素名入力領域４０６には新規構成要素の電力供給先要素の名がプルダウン形式などの選択形式で入力される。関連情報取得部１３６は、この選択形式における選択肢を、新規構成要素が属する階層の子階層に属する構成要素に限定してもよい。
【００７８】
管理者によって必要な情報が入力されＯＫボタン４０８が押し下げられると、関連情報取得部１３６は、供給元要素名入力領域４０２に入力された情報を電力供給元情報として、振り分け比率入力領域４０４に入力された情報を振り分け情報として、供給先要素名入力領域４０６に入力された情報を電力供給先情報として、取得する。
【００７９】
上述の実施の形態において、保持部の例は、ハードディスクやメモリである。また、本明細書の記載に基づき、各部を、図示しないＣＰＵや、インストールされたアプリケーションプログラムのモジュールや、システムプログラムのモジュールや、ハードディスクから読み出したデータの内容を一時的に記憶するメモリなどにより実現できることは本明細書に触れた当業者には理解されるところである。
【００８０】
以上の構成による管理装置１００の動作を説明する。
図１１は、管理装置１００における一連の処理を示すフローチャートである。登録インタフェース部１１０の情報取得部は、新規構成要素に関する情報を取得する（Ｓ２０２）。登録インタフェース部１１０の情報抽出部は、取得された情報から新規構成要素の消費電力情報、電力供給元情報、振り分け情報のそれぞれを抽出する（Ｓ２０４）。情報更新部１２２は、抽出された情報を構成情報保持部１２４、関連情報保持部１２６に登録する（Ｓ２０６）。電力演算部１１２は、必要電力を演算すべき構成要素が残っている場合（Ｓ２０８のＹ）、演算対象ＩＤを選択する（Ｓ２１０）。電力演算部１１２は、電力供給先要素から演算対象構成要素に振り分けられる電力を合計する（Ｓ２１２）。電力演算部１１２は、合計値に演算対象構成要素自身の消費電力を合算し、演算対象構成要素の必要電力を得る。（Ｓ２１４）。情報更新部１２２は、演算された必要電力で構成情報保持部１２４を更新し（Ｓ２１６）、処理をステップＳ２０８に戻す。電力演算部１１２は、必要電力を演算すべき構成要素が残っていない場合（Ｓ２０８のＮ）、演算を終了する。
【００８１】
本実施の形態に係る管理装置１００によると、データセンタ２のようにネットワーク状の電力供給網を有する情報処理システムであっても管理対象とすることができる。したがって、木構造的なものだけでなくさまざな種類の電力供給網を有する情報処理システムの管理が可能となる。また、新規構成要素を管理装置１００へ登録する際には、その登録によって必要電力が更新されなければならない既存の構成要素についても自動的に必要電力の更新がなされる。したがって、情報処理システムの管理者への管理負担を軽減できる。
【００８２】
また、本実施の形態に係る管理装置１００では、演算対象構成要素の必要電力の演算において、新規構成要素の必要電力のうち演算対象構成要素に振り分けられる電力と演算対象構成要素が他の構成要素に供給する電力とが合計される。このように、新規構成要素の必要電力を新規構成要素よりも上位階層の複数の構成要素に振り分ける、という概念を導入することにより、ネットワーク状の電力供給網を有する情報処理システムを電力的な側面からより好適に管理できる。
【００８３】
また、本実施の形態に係る管理装置１００では、演算対象構成要素の必要電力に演算対象構成要素自身の消費電力が含められる。これにより、コンセントや分電盤自身も実際は少なからず電力を消費しているのであるが、そのような実態を管理に反映させることができる。
【００８４】
また、本実施の形態に係る管理装置１００では、構成要素の登録の段階で階層を飛び越えた電力供給関係の設定が禁止される。実際もサーバを直接分電盤に接続するようなことはあまり生じないので、そのような実態に即した管理を実現できる。また、管理者の入力ミスを軽減できる。
【００８５】
以上、実施の形態に係る管理装置１００の構成と動作について説明した。この実施の形態は例示であり、その各構成要素や各処理の組み合わせにいろいろな変形例が可能なこと、またそうした変形例も本発明の範囲にあることは当業者に理解されるところである。
【００８６】
実施の形態では、データセンタ２の構成要素が必要とする電力が扱われる場合について説明したが、これに限られず、情報処理システムの構成要素が必要とする量的なパラメータすなわちリソースが扱われてもよい。情報処理システムのリソースは例えば電力、ＣＰＵ使用率、通信容量、通信帯域、一時メモリの記憶容量またはハードディスクドライブの記憶容量である。
【符号の説明】
【００８７】
２  データセンタ、  ４  第１分電盤、  ６  第２分電盤、  ８  第１コンセント、  １０  第２コンセント、  １２  第１サーバ、  １４  第１ストレージ、  １６  第２サーバ、  １８  ネットワーク、  ２０  送電線、  ２１  第２ストレージ、  ２２  第３サーバ、  １００  管理装置、  １０２  入力装置、  １０４  表示装置、  １１０  登録インタフェース部、  １１２  電力演算部、  １２０  階層情報保持部、  １２２  情報更新部、  １２４  構成情報保持部、  １２６  関連情報保持部。
【図１】
0005432196.tif 000002
【図２】
0005432196.tif 000003
【図３】
0005432196.tif 000004
【図４】
0005432196.tif 000005
【図５】
0005432196.tif 000006
【図６】
0005432196.tif 000007
【図７】
0005432196.tif 000008
【図８】
0005432196.tif 000009
【図９】
0005432196.tif 000010
【図１０】
0005432196.tif 000011
【図１１】
0005432196.tif 000012